(57)【要約】【課題】インホイールモータ駆動装置の軸線方向寸法を短縮し、モータ部の重量に由来するモーメントがインホイールモータ駆動装置に作用することを低減する。【解決手段】インホイールモータ駆動装置（１１）は、軸線（Ｏ）方向一方端側に空間（Ｓ）を形成し軸線方向他方端側に内側軌道面（１４）を有する内輪（１２）、外側軌道面（１５）を外周部に有する外輪（１３）、および複数の転動体（１６）を含む車輪用軸受部（１１Ｃ）と、空間（Ｓ）に配置されるモータ部（１１Ａ）と、モータ部と結合する減速部入力軸（３２）、減速部入力軸の先端部に設けられる入力歯車（３３）、入力歯車と噛合する第１中間歯車（３４）、および中間歯車に駆動される出力歯車（１２ｇ）を含み、モータ部の出力回転を減速して出力歯車へ伝達する減速部（１１Ｂ）を備える。【選択図】図１
2017052480.tif 000002
【特許請求の範囲】
【請求項１】
軸線方向一方端部の内径側に空間を形成し軸線方向他方端部の外径側に内側軌道面を有する内輪、前記内輪の前記内側軌道面と対向する外側軌道面を内径側に有する外輪、前記外側軌道面と前記内側軌道面の間に形成される環状隙間に配置される複数の転動体を含み、前記内輪を回転自在に支持する車輪用軸受部と、
前記内輪の前記空間に配置されるモータ部と、
一方端が前記モータ部のモータ回転軸と結合し他方端には入力歯車が設けられる減速部入力軸、前記入力歯車と噛合する第１中間歯車、および前記内輪の軸線方向他方端部に設けられて前記第１中間歯車に駆動される出力歯車を含み、前記モータ部の出力回転を減速して前記出力歯車へ伝達する減速部とを備える、インホイールモータ駆動装置。
【請求項２】
前記減速部は、前記出力歯車に噛合して該出力歯車に前記第１中間歯車の駆動力を伝達する第２中間歯車をさらに含み、
前記第２中間歯車および前記第１中間歯車は前記車輪用軸受部の軸線からオフセット配置される、請求項１に記載のインホイールモータ駆動装置。
【請求項３】
前記出力歯車は、前記内輪の内周部に形成される歯列からなる内歯歯車であり、
前記第２中間歯車は、前記内輪の内径側に配置されるピニオンである、請求項２に記載のインホイールモータ駆動装置。
【請求項４】
前記車輪用軸受部の軸線に関し、前記出力歯車の軸線方向位置は、前記内側軌道面の軸線方向位置と重なる、請求項３に記載のインホイールモータ駆動装置。
【請求項５】
前記第１中間歯車は、前記内輪の最大外径寸法よりも内径側に配置される、請求項２〜４のいずれかに記載のインホイールモータ駆動装置。
【請求項６】
前記車輪用軸受部の軸線に関し、前記第１中間歯車は、前記内輪の軸線方向他方端と隣り合うよう配置される、請求項２〜５のいずれかに記載のインホイールモータ駆動装置。
【請求項７】
前記減速部は、前記車輪用軸受部の軸線と平行に延びる軸であって一端が前記第２中間歯車の中心と結合し、他端が前記第１中間歯車の中心と結合する中間軸をさらに含む、請求項２〜６のいずれかに記載のインホイールモータ駆動装置。
【発明の詳細な説明】
【技術分野】
【０００１】
本発明は、インホイールモータ駆動装置の内部レイアウトに関する。
【背景技術】
【０００２】
インホイールモータは車輪中（in wheel）に配置されて当該車輪を駆動することから、従来の車両用内燃機関のように駆動源を車体に搭載する必要がなく、車体の内部空間を有効利用することができる。また従来の車両用内燃機関と比較して、駆動源の小型化・軽量化を図ることができる。かかるインホイールモータとしては従来、例えば、特開２００９−１７４５９２号公報（特許文献１）に記載のごときものが知られている。
【先行技術文献】
【特許文献】
【０００３】
【特許文献１】特開２００９−１７４５９２号公報
【発明の概要】
【発明が解決しようとする課題】
【０００４】
特許文献１のインホイールモータ駆動装置にあっては、車輪ハブ軸受部と、減速部と、モータ部が同軸かつ直列に配置されることから、インホイールモータ駆動装置の軸線方向寸法が大きくなってしまう。インホイールモータの軸線方向寸法が大きいと、インホイールモータ駆動装置の車両側端部が車輪から突出する。そうすると、内燃機関自動車用の車体に設けられるホイールハウジングに、車輪およびインホイールモータを収容することが困難になる。この結果、インホイールモータ駆動装置を具備する電動車両に、内燃機関自動車用の車体を流用することができず、電動車両のコストアップの原因となる。このため軸線方向寸法において改善の余地がある。
【０００５】
図８は、特許文献１のインホイールモータ駆動装置を車体に取り付け、車両前後方向にみた状態を示す模式図である。インホイールモータ駆動装置１１１は、サスペンション装置１１２によって電動車両の車体１１３に取り付けられ、車輪ハブ軸受部１１４がインホイールモータ駆動装置１１１の軸線Ｏ方向一方側に配置され、モータ部１１５がインホイールモータ駆動装置１１１の軸線Ｏ方向他方側に配置される。車輪ハブ軸受部１１４の車輪ハブ１１６には車輪１１８が取り付けられる。車輪１１８から車輪ハブ１１６に付与される上向の加振力Ｆｋないし図示しない下向きの加振力により、インホイールモータ駆動装置１１１に上下方向の慣性力が発生すると、インホイールモータ駆動装置１１１の中で最も大きな重量物であるモータ部１１５によって、下向きのモーメントＭないし図示しない上向きのモーメントが作用する。モーメントＭはサスペンション装置１１２の上下方向のストロークやインホイールモータ駆動装置１１１の転舵に影響を及ぼす。またモーメントＭの変動は、サスペンション装置１１２を介して車体１１３に振動として伝達され、乗員の乗り心地を悪化させる。
【０００６】
上述したモーメントＭの原因は、図８に示すようにモータ部１１５の重心点１１７は車輪１１８のホイールセンタ１２０から軸線Ｏ方向にオフセットしているためである。モータ部１１５の重量Ｗｍは、インホイールモータ駆動装置１１１の全重量の半分以上を占める。
【０００７】
本発明は、上述の実情に鑑み、インホイールモータ駆動装置の軸線方向寸法を短縮し、車両への搭載を容易にするとともに、モータ部の重量に由来するモーメントを低減することができる構造を提供することを目的とする。
【課題を解決するための手段】
【０００８】
この目的のため本発明によるインホイールモータ駆動装置は、軸線方向一方端部の内径側に空間を形成し軸線方向他方端部の外径側に内側軌道面を有する内輪、内輪の内側軌道面と対向する外側軌道面を内径側に有する外輪、これらの外側軌道面と内側軌道面の間に形成される環状隙間に配置される複数の転動体を含み、内輪を回転自在に支持する車輪用軸受部と、内輪の軸線方向一方端部の空間に配置されるモータ部と、一方端がモータ部のモータ回転軸と結合し他方端には入力歯車が設けられる減速部入力軸、入力歯車と噛合する第１中間歯車、および内輪の軸線方向他方端部に設けられて第１中間歯車に駆動される出力歯車を含み、モータ部の出力回転を減速して出力歯車へ伝達する減速部とを備える。
【０００９】
かかる本発明によれば、車輪用軸受部の軸線に関し、モータ部の軸線方向位置と内輪の軸線方向位置を重ねることができ、軸線方向一方側と他方側でモータ部と車輪用軸受部を直列に配置する従来のインホイールモータ駆動装置と比較して、インホイールモータ駆動装置の軸線方向寸法を短くすることができる。
【００１０】
またモータ部の重心点を、車輪のホイールセンタに一致ないし近づけることができ、接地面から車輪へ上向きの加振力が加わったり、車輪から内輪に下向きの加振力が加わったりしても、重量物になるモータ部に由来するモーメントを低減することができる。
【００１１】
また第１中間歯車と出力歯車の間に複数の歯車を介在させることにより、減速部は高減速比を得ることができる。本発明の一実施形態として減速部は、出力歯車に噛合して該出力歯車に第１中間歯車の駆動力を伝達する第２中間歯車をさらに含み、第１中間歯車および第２中間歯車は車輪用軸受部の軸線からオフセット配置される。かかる実施形態によれば減速部が車輪用軸受部の軸線からオフセット配置されることから、特許文献１のインホイールモータ駆動装置と比較してインホイールモータ駆動装置の軸線方向寸法を益々短くすることができる。なお本発明の減速部は歯車式減速機であればよい。
【００１２】
出力歯車の形状は特に限定されないが、本発明の好ましい実施形態として出力歯車は、内輪の内周部に形成される歯列からなる内歯歯車であり、第２中間歯車は内輪の内径側に配置されるピニオンである。かかる実施形態によれば車輪用軸受部の軸線に関し、内輪の軸線方向他方端部の軸線方向位置に、減速部の出力歯車の軸線方向位置を重ねて、インホイールモータ駆動装置の軸線方向寸法を益々短くすることができる。また出力歯車を大径化して歯数を多くし、減速比を高くすることができる。本発明の他の実施形態として、出力歯車は外歯歯車であってもよい。
【００１３】
本発明のさらに好ましい実施形態として車輪用軸受部の軸線に関し、出力歯車の軸線方向位置は、内側軌道面の軸線方向位置と重なる。かかる実施形態によればインホイールモータ駆動装置の軸線方向寸法を益々短くすることができる。本発明の他の実施形態として出力歯車は内側軌道面よりも軸線方向他方側または一方側に配置されてもよい。
【００１４】
第１および第２中間歯車の大きさおよび配置は特に限定されないが本発明の一実施形態として第１中間歯車は、内輪の最大外径寸法よりも内径側に配置される。かかる実施形態によれば、減速部のレイアウトが好適なものとなり、インホイールモータ駆動装置の小型化に資する。本発明の他の実施形態として中間歯車は内輪の最大外径寸法を越えて外径側に配置されてもよい。
【００１５】
本発明の一実施形態として車輪用軸受部の軸線に関し、第１中間歯車は、内輪の軸線方向他方端と隣り合うよう配置される。かかる実施形態によればインホイールモータ駆動装置の軸線方向寸法を小さくすることができる。あるいは本発明の他の実施形態として車輪用軸受部の軸線に関し、第１中間歯車と内輪の間に別な機構を介在させてもよい。
【００１６】
本発明の一実施形態として減速部は、車輪用軸受部の軸線と平行に延びる軸であって一端が出力歯車の中心と結合し、他端が中間歯車の中心と結合する中間軸をさらに含む。かかる実施形態によれば中間軸を車輪用軸受部の軸線からオフセットして配置することができる。したがって車輪用軸受部と減速部を同軸かつ直列に配置する従来のインホイールモータ駆動装置と比較して、インホイールモータ駆動装置の軸線方向寸法を小さくすることができる。本発明の他の実施形態として減速部は、軸線と平行に延びる中間軸と、中間軸の両端に形成される歯車対を複数有し、モータ部の出力回転を一層減速する平行軸式減速機であってもよい。
【発明の効果】
【００１７】
このように本発明によれば、インホイールモータ駆動装置の軸線方向寸法を従来と比較して短縮することができる。したがって車輪の中にインホイールモータ駆動装置全体を収容することができ、インホイールモータ駆動装置を具備する電動車両に、従来から存在する内燃機関自動車用の車体を流用して、電動車両のコストを下げることができる。またモータ部をホイールセンタから軸線方向にオフセットして配置する従来のインホイールモータ駆動装置と比較して、モータ部の重量に由来するモーメントを低減することができる。
【図面の簡単な説明】
【００１８】
【図１】本発明の一実施形態になるインホイールモータ駆動装置を示す断面図である。
【図２】同実施形態のインホイールモータ駆動装置を軸線方向一方側からみて示す正面図である。
【図３】同実施形態の減速部を軸線方向他方側からみて示す模式図である。
【図４】同実施形態の車輪用軸受部を示す横断面図である。
【図５】同実施形態のモータ部および内輪を軸線方向他方側からみて示す模式図である。
【図６】同実施形態から内輪を取り出して模式的に示す斜視図である。
【図７】同実施形態から内輪を取り出して模式的に示す斜視図である。
【図８】従来のインホイールモータ駆動装置を示す模式図である。
【発明を実施するための形態】
【００１９】
以下、本発明の実施の形態を、図面に基づき詳細に説明する。図１は、本発明の一実施形態になるインホイールモータ駆動装置を示す断面図である。図２は、同実施形態のインホイールモータ駆動装置を軸線方向一方側からみて示す正面図である。図３は同実施形態の減速部を軸線方向他方側からみて示す模式図である。図４は同実施形態の車輪用軸受部を示す横断面図である。図５は同実施形態のモータ部および内輪を軸線方向他方側からみて示す模式図である。図６および図７は、同実施形態から内輪を取り出して示す斜視図であり、図６が軸線方向一方からみた状態を、図７が軸線方向他方からみた状態を表す。本実施形態のインホイールモータ駆動装置１１は、図１に示すようにモータ部１１Ａ、減速部１１Ｂ、および車輪用軸受部１１Ｃを備える。インホイールモータ駆動装置１１は電動車両の車幅方向両側に配置され、車輪用軸受部１１Ｃの軸線Ｏは電動車両の車幅方向に延びる。そしてモータ部１１Ａおよび車輪用軸受部１１Ｃは車幅方向外側に配置される。また減速部１１Ｂは車幅方向内側に配置される。
【００２０】
車輪用軸受部１１Ｃは、非回転部材である外輪１３と、回転部材である内輪１２と、複数の転動体１６を備える複列の転がり軸受であり、軸線Ｏを有する。内輪１２は、軸線Ｏ方向の一方端領域１２ｍと、軸線Ｏ方向の他方端領域１２ｎを含む。一方端領域１２ｍは車幅方向外側に配置され、他方端領域１２ｎは車幅方向外側に配置される。以下の説明では、軸線Ｏに関し、一方端領域１２ｍ側を軸線方向一方側とし、他方端領域１２ｎ側を軸線方向他方側とする。
【００２１】
内輪１２の一方端領域１２ｍは内径側に所定の大きさの空間Ｓを区画する。内輪１２の他方端領域１２ｎは外輪１３に包囲される。内輪１２の他方端領域１２ｎの外周部には内側軌道面１４が設けられる。外輪１３の内周部には外側軌道面１５が設けられる。内側軌道面１４と外側軌道面１５は径方向に間隔を空けて互いに向き合う。内側軌道面１４と外側軌道面１５の環状空間には周方向に間隔を空けて複数の転動体１６が複列に配置される。本実施形態の転動体１６は玉であるが、円筒ころや円錐ころ等、その他の形状であってもよい。
【００２２】
内輪１２の軸線Ｏ方向一方端には、円板部材１０１が取付固定される。一方端領域１２ｍの端面にはボルト孔１７が形成され、円板部材１０１を貫通するボルト１９が螺合する。円板部材１０１は車輪のロードホイールであったり、あるいはブレーキ装置のブレーキディスクであったりする。図示しない車輪のロードホイールは、空間Ｓに配置されるモータ部１１Ａ全体を収容する。
【００２３】
モータ部１１Ａは、内輪１２の一方端領域１２ｍに収容され、モータ部ケーシング２２と、ステータ２３と、ロータ２４と、モータ回転軸２５を有する。モータ部ケーシング２２は、外径寸法が軸線方向寸法よりも大きな円筒形状であってモータ部１１Ａの外郭をなし、軸線方向一方端面が円板部材１０１に覆われる。つまり空間Ｓは円板部材１０１によって閉塞され、空間Ｓに設置されるモータ部１１Ａは外部から遮断される。
【００２４】
モータ部ケーシング２２の外周面は隙間を介して一方端領域１２ｍの内周面と対面する。一方端領域１２ｍは内輪１２の一部であり図示しない車輪とともに回転するが、モータ部ケーシング２２は減速部１１Ｂの減速部ケーシング３１に固定される非回転部材である。モータ部ケーシング２２の軸線Ｏ方向他方端は、内輪１２の軸線Ｏ方向他方端に設けられる歯車１２ｇと軸線Ｏ方向に隣り合い、ボルト２８で減速部ケーシング３１の軸線方向一方端に取付固定される。つまりモータ部１１Ａは、減速部１１Ｂによって、減速部１１Ｂの軸線方向一方側に片持ち支持される。これに対し内輪１２は、モータ部１１Ａを包囲しつつ、２列の転動体１６を介して外輪１３に回転自在に支持される。
【００２５】
モータ部１１Ａのステータ２３は、モータ部ケーシング２２の内周面に固定される。ロータ２４はステータ２３よりも内径側に配置され、モータ回転軸２５に連結固定される。モータ回転軸２５は、車輪用軸受部１１Ｃの軸線Ｏに沿って延びる。このことからわかるようにモータ部１１Ａは車輪用軸受部１１Ｃに同軸に配置される。モータ回転軸２５の両端部は、転がり軸受２６，２７を介してモータ部ケーシング２２に回転自在に支持される。モータ回転軸２５は管状体であり、軸線Ｏに沿って延びる中空孔２５ｘを有する。中空孔２５ｘの軸線Ｏ方向他方端には減速部１１Ｂの減速部入力軸３２がスプライン嵌合あるいはセレーション嵌合する。
【００２６】
ロータ２４には径方向に延びる通路２４ｘが形成される。通路２４ｘの内径側端は中空孔２５ｘと接続する。通路２４ｘの外径側端はロータ２４の外周面まで延び、ステータ２３のステータコイル２３ｃへ指向する。
【００２７】
減速部１１Ｂは、減速部ケーシング３１、減速部入力軸３２、入力歯車３３、第１中間歯車３４、中間軸３５、第２中間歯車３６、および出力歯車１２ｇを有し、これら歯車の噛合によりモータ部１１Ａの出力回転を減速して内輪１２へ伝達する。出力歯車１２ｇはこれら歯車のうちのファイナルギヤになる。減速部１１Ｂは平行軸歯車式減速機である。
【００２８】
減速部入力軸３２は、根元部でモータ部１１Ａのモータ回転軸２５と連結し、軸線Ｏに沿って延びる。内輪１２から軸線Ｏ方向他方側へ突出する減速部入力軸３２の先端部外周には、入力歯車３３が形成される。入力歯車３３は外歯歯車であって、第１中間歯車３４と噛合する。入力歯車３３から第１中間歯車３４への減速比（１段目の減速比）は例えば約３．３である。また入力歯車３３は噛合相手である第１中間歯車３４よりも小径のピニオンである。減速部入力軸３２の先端は、転がり軸受４０を介して、減速部ケーシング３１に回転自在に支持される。減速部入力軸３２は、外輪１３を貫通する。
【００２９】
第１中間歯車３４は入力歯車３３よりも大径の外歯歯車であり、軸線Ｏと平行に延びる中間軸３５と結合する。入力歯車３３、第１中間歯車３４、および中間軸３５は減速部ケーシング３１に収容される。非回転部材になる減速部ケーシング３１は、ボルト３７によって、外輪１３の軸線Ｏ方向他方端に取付固定される。中間軸３５は管状体であり、中空孔３５ｘを有する。減速部ケーシング３１のうち中空孔３５ｘの軸線方向他方端と対向する部位には貫通孔３１ｐが設けられる。
【００３０】
中間軸３５は、第１中間歯車３４から軸線方向一方へ延び、軸線方向一方端側で第２中間歯車３６と結合する。第２中間歯車３６は出力歯車１２ｇと噛合する。第２中間歯車３６から出力歯車１２ｇへの減速比（２段目の減速比）は例えば約３．３である。これにより、前述した１段目の減速比および２段目の減速比を共に約３，３として、減速部１１Ｂ全体の減速比を約１１とする。第２中間歯車３６は出力歯車１２ｇよりも小径の外歯歯車、つまりピニオン、である。中間軸３５の軸方向両端部は、転がり軸受３８，３９を介して、減速部ケーシング３１に回転自在に支持される。転がり軸受３８，３９の間には、第１中間歯車３４および第２中間歯車３６が配置される。これまで説明してきた転がり軸受２６，２７，３８，３９，４０は深溝玉軸受であるが、他の構造の軸受であってもよい。
【００３１】
第１中間歯車３４、中間軸３５、および第２中間歯車３６は、軸線Ｏに関し、軸線直角方向にオフセットして配置される。減速部ケーシング３１は、第２中間歯車３６をさらに収容する。第１中間歯車３４、中間軸３５、第２中間歯車３６、転がり軸受３８，３９、および減速部ケーシング３１は、内輪１２の最大外径寸法Ｄｍよりも内径側の空間に配置される。また第２中間歯車３６は、内輪１２の最大外径寸法Ｄｍと入力歯車３３の外径寸法Ｄｓの間で規定される環状空間Ｔに配置される。なお外径寸法Ｄｓは、例えば入力歯車３３の歯底の外径寸法である。
【００３２】
減速部入力軸３２は管状体であり、軸線Ｏに沿って延びる中空孔３２ｘを有する。中空孔３２ｘはモータ回転軸２５の中空孔２５ｘと接続する。減速部ケーシング３１のうち中空孔３２ｘの軸線Ｏ方向他方端と対向する部位には貫通孔３１ｑが設けられる。
【００３３】
モータ部１１Ａや減速部１１Ｂの内部空間には所定量の潤滑油が封入され、貫通孔３１ｐ，３１ｑは図１に示すようにシールされる場合、モータ部１１Ａの回転要素や減速部１１Ｂの各歯車は掻き上げ潤滑される。
【００３４】
あるいは本実施形態は、モータ部１１Ａや減速部１１Ｂに潤滑油を供給する軸心給油方式の潤滑油回路を備える。例えば貫通孔３１ｑを入口として潤滑油を供給するとよい。潤滑油は転がり軸受４０と入力歯車３３を潤滑する。また潤滑油は中空孔３２ｘと、中空孔２５ｘを順次流れ、転がり軸受２６を潤滑する。また潤滑油は中空孔２５ｘから分岐して通路２４ｘを順次流れ、ステータ２３に噴射される。これによりロータ２４およびステータ２３を効率よく冷却できる。ロータ２４およびステータ２３を冷却した潤滑油は、モータ部１１Ａの内部を落下し、モータ部１１Ａの下部で回収されて、図示しないオイルポンプによって再び貫通孔３１ｑに供給される。
【００３５】
また例えば貫通孔３１ｐを入口として潤滑油を供給するとよい。潤滑油は転がり軸受３９と第１中間歯車３４を潤滑する。また潤滑油は中空孔３５ｘを流れ、中間軸３５の軸線方向一方端から減速部１１Ｂ内部に噴射され、転がり軸受３８、第２中間歯車３６、出力歯車１２ｇ、および車輪用軸受部１１Ｃを潤滑する。各歯車３３，３４，３６および外側軌道面１５を潤滑した潤滑油は、減速部１１Ｂの内部を落下し、減速部１１Ｂの下部で回収されて、図示しないオイルポンプによって再び貫通孔３１ｐに供給される。
【００３６】
ところで本実施形態によれば、内輪１２の軸線Ｏ方向一方端部の内径側に空間Ｓを形成し、空間Ｓにモータ部１１Ａを配置する。これにより軸線Ｏに関し、モータ部１１Ａの軸線Ｏ方向位置と内輪１２の軸線Ｏ方向位置を重ねることができ、軸線方向一方側と他方側でモータ部と車輪用軸受部を直列に配置する従来のインホイールモータ駆動装置と比較して、インホイールモータ駆動装置の軸線方向寸法を短くすることができる。
【００３７】
また軸線Ｏに関し、モータ部１１Ａの重心点Ｗａの軸線方向位置を、車輪の接地面の軸線方向範囲に含めることができる。つまり重量の大きなモータ部１１Ａの重心点Ｗａを、車輪（円板部材１０１）のホイールセンタＣｗに一致ないし近づけることができる。したがって、接地面から車輪へ上向きの加振力が加わったり、車輪から内輪１２に下向きの加振力が加わったりしても、モータ部１１Ａの重量に由来するモーメントを低減することができる。
【００３８】
また本実施形態によれば、モータ回転軸２５と結合して内輪１２の中心を貫通する減速部入力軸３２、減速部入力軸３２の先端部に設けられる入力歯車３３、入力歯車３３と噛合する第１中間歯車３４、および出力歯車１２ｇと噛合する第２中間歯車３６を含み、モータ部１１Ａの出力回転を減速して出力歯車１２ｇへ伝達する減速部１１Ｂを備えることから、減速部１１Ｂを軸線Ｏからオフセットして配置することができる。したがって軸線方向一方側と他方側で減速部と車輪ハブ軸受部を直列に配置する従来のインホイールモータ駆動装置と比較して、インホイールモータ駆動装置の軸線方向寸法を短くすることができる。
【００３９】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００４０】
この発明になるインホイールモータ駆動装置は、電気自動車およびハイブリッド自動車において有利に利用される。
【符号の説明】
【００４１】
１１  インホイールモータ駆動装置、      １１Ａ  モータ部、      
１１Ｂ  減速部、      １１Ｃ  車輪用軸受部、      １２  内輪、      
１２ｇ  出力歯車、      １２ｍ  一方端領域、      １２ｎ  他方端領域、    
１３  外輪、      １４  内側軌道面、      １５  外側軌道面、      
１６  転動体、      １７  ボルト孔、      ２２  モータ部ケーシング、      
２３  ステータ、      ２４  ロータ、      ２４ｘ  通路、      
２５  モータ回転軸、      ２５ｘ  中空孔、      ２６  転がり軸受、      
３１  減速部ケーシング、      ３１ｐ，３１ｐ  貫通孔、      
３２  減速部入力軸、      ３３  入力歯車、      ３４  第１中間歯車、      
３５  中間軸、      ３６  第２中間歯車、      １０１  円板部材、      
Ｗａ  モータ部重心点、      Ｃｗ  ホイールセンタ、      
Ｄｍ  最大外径寸法、      Ｄｓ  外径寸法、      Ｍ  モーメント、      
Ｏ  軸線、      Ｓ  空間、      Ｔ  環状空間。
【図１】
2017052480.tif 000003
【図２】
2017052480.tif 000004
【図３】
2017052480.tif 000005
【図４】
2017052480.tif 000006
【図５】
2017052480.tif 000007
【図６】
2017052480.tif 000008
【図７】
2017052480.tif 000009
【図８】
2017052480.tif 000010